(57)【要約】【課題】蛍光灯の交換を安全かつ容易に行うことができる照明器具を提供する。【解決手段】照明器具１００は、照明器具本体１、蛍光ランプ２、可動ソケット３、ソケット補助具４および固定ソケット５を備える。照明器具本体１と可動ソケット３の間に、ソケット補助具４を備える。ソケット補助具４は、可動ソケット３を回動可能に支持する。脚立など利用せずに低い位置から可動ソケット３へ蛍光ランプ２を取り付けることができる。蛍光ランプ２は片側を支持されるので、蛍光ランプ２と固定ソケット５の嵌合の際、片手で作業することができる。そのため、蛍光灯の交換、特に取り付け作業が安全かつ容易に行える。【選択図】図２
2011009141.tif 000002
【特許請求の範囲】
【請求項１】
直管形の蛍光ランプを取付け可能な照明器具であって、
照明器具本体の回路と電気的に接続し、前記蛍光ランプが嵌入した状態で該蛍光ランプを支持する可動ソケットと、
前記照明器具本体の回路と電気的に接続し、前記蛍光ランプを支持する前記可動ソケットと対向する固定ソケットと、
前記照明器具本体と前記可動ソケットとの間にあって、該照明器具本体に接続する位置を支点として、該可動ソケットを回動可能に支持するソケット補助具と、
を、備えることを特徴とする照明器具。
【請求項２】
前記固定ソケットは、前記蛍光ランプのランプピンを該固定ソケットに形成されたランプピン用差し込み孔に誘導するためのＬ字、コの字、Ｕ字、のいずれかの形状の溝を備え、
該溝の開口部は前記照明器具の取り付け面と前記蛍光ランプを挟んで対向する側に形成され、
該溝の終端部は該ランプピン用差し込み孔の位置に形成されることを特徴とする請求項１に記載の照明器具。
【請求項３】
前記溝の開口部の幅は、該溝の溝幅よりも大きいことを特徴とする請求項２に記載の照明器具。
【請求項４】
前記ソケット補助具は、絶縁性および耐熱性を有する材料で形成され、かつ、伸縮性と屈曲性を備えることを特徴とする請求項１ないし３のいずれか１項に記載の照明器具。
【請求項５】
前記ソケット補助具は、１つの筒が他の筒に挿通して摺動可能な入れ子構造から構成されることを特徴とする請求項４に記載の照明器具。
【請求項６】
前記ソケット補助具は、蛇腹構造から構成されることを特徴とする請求項４に記載の照明器具。
【発明の詳細な説明】
【技術分野】
【０００１】
本発明は、照明器具に関する。より詳しくは、直管形蛍光ランプの照明器具に関する。
【背景技術】
【０００２】
蛍光ランプは、電気的接続を確実にする目的や落下を防止する目的のため、取り付け口が小さい構造となっており、ランプピンをソケットに嵌合させにくく、照明器具の交換、特に取付が行いにくい。また、直管形の蛍光ランプは、管長が長いために扱いにくい。
【０００３】
さらに、照明器具は高い位置にあることがほとんどであり、蛍光ランプの交換は腕を上側に挙げたままの姿勢を取るためにストレスがかかることが多い。また、脚立など足場が不安定な位置での作業となるだけでなく、両手で作業するためにバランスを崩しやすく、人および蛍光ランプの落下のおそれがある。
【０００４】
特許文献１には、直管ランプの両端にあるランプソケットにおいて、一端は回動自在とし、他端は取付用治具棒を支持することで、脚立等を使用することなく安全にランプ交換ができる照明器具について記載されている。
【０００５】
特許文献２には、直管状の蛍光ランプを内挿する筒状グローブ両端部をそれぞれ左右ソケットボックスに嵌着する照明器具において、内挿した直管状の蛍光ランプ一端が固定ソケットにほぼ案内されるように蛍光ランプを弾性的に挿通保持し得る保持部材を設け、蛍光ランプ交換を安全かつ容易に行うことのできる蛍光灯照明器具が記載されている。
【０００６】
特許文献３には、ソケットに直管形蛍光ランプの嵌入を容易にするためソケットに案内筒を設けたもの或いは直管形蛍光ランプにホルダーを取り付け案内堤板にてソケットへ誘導することで、長尺の直管形蛍光ランプの交換作業が一人で、容易にできる照明器具について記載されている。
【０００７】
特許文献４には、接触部位が面状の充電部を口金に有する蛍光ランプと、面状の給電端子を有する固定ソケット、面状の給電端子と口金の外周に緩挿可能な口金保持部とを有する可動ソケット、およびソケット移動機構を備えることで、蛍光ランプの口金とソケットとの接続が容易で、かつ接続が安定する照明器具について記載されている。
【先行技術文献】
【特許文献】
【０００８】
【特許文献１】特開昭５６−１５６６０２号公報
【特許文献２】実公平０６−２１１２２号公報
【特許文献３】特開２００１−９３３２３号公報
【特許文献４】特開２００８−１５９３６１号公報
【発明の概要】
【発明が解決しようとする課題】
【０００９】
上述した特許文献２ないし４では、蛍光ランプの交換をより容易に行うための改善であるが、蛍光灯の交換は高所かつ両手を挙げた姿勢での作業であり、不安定な姿勢で行う作業となるために、人や蛍光ランプの落下を招くおそれがある。特許文献１では、高所での作業を行わずに済み、安全性を高く維持できるものの、蛍光灯の交換の際に使用した治具の行き場については考慮されていない。
【００１０】
本発明は、上記事情に鑑みてなされたものであり、蛍光灯の交換を安全かつ容易に行うことができる照明器具を提供することを目的とする。
【課題を解決するための手段】
【００１１】
本発明に係る照明器具は、
直管形の蛍光ランプを取付け可能な照明器具であって、
照明器具本体の回路と電気的に接続し、前記蛍光ランプが嵌入した状態で該蛍光ランプを支持する可動ソケットと、
前記照明器具本体の回路と電気的に接続し、前記蛍光ランプを支持する前記可動ソケットと対向する固定ソケットと、
前記照明器具本体と前記可動ソケットとの間にあって、該照明器具本体に接続する位置を支点として、該可動ソケットを回動可能に支持するソケット補助具と、
を、備えることを特徴とする。
【発明の効果】
【００１２】
本発明によれば、蛍光灯の交換、特に、取り付け作業を安全かつ容易に行うことができる。
【図面の簡単な説明】
【００１３】
【図１】本発明の実施の形態に係る照明器具の概略側面図である。
【図２】本発明の実施の形態に係る照明器具の概略側面図で、蛍光ランプを取り付けているときの様子を示す。
【図３】本発明の実施の形態１に係る照明器具のソケットおよびソケット補助具の概略図である。（ａ）は、図１の一点鎖線囲み部分Ｒの部分拡大図である。（ｂ）は、（ａ）を矢印の方向に見た図である。
【図４】ソケット補助具の側面図である。（ａ）は蛍光ランプを照明器具に取り付ける前、（ｂ）は蛍光ランプの一方を照明器具に取り付けているとき、（ｃ）は蛍光ランプを照明器具に取り付けたときの様子を示す。
【図５】ソケット補助具の変形例を示す側面図である。
【図６】本発明の実施の形態１に係る照明器具のソケットの概略図である。（ａ）は、図１の一点鎖線囲み部分Ｑの部分拡大図である。（ｂ）は、（ａ）を矢印の方向に見た図である。
【図７】ソケットの変形例を示す側面図である。
【図８】本発明の実施の形態２に係る照明器具のソケットおよびソケット補助具の概略図である。（ａ）は、図１の一点鎖線囲み部分Ｒに対応する箇所の側面図である。（ｂ）は、（ａ）を矢印の方向に見た図である。
【図９】本発明の実施の形態２に係る照明器具のソケットの概略図である。（ａ）は、図１の一点鎖線囲み部分Ｑに対応する箇所の側面図である。（ｂ）は、（ａ）を矢印の方向に見た図である。
【図１０】本発明の実施の形態の具体例を示す構成概略図である。
【発明を実施するための形態】
【００１４】
以下、本発明の実施の形態について図面を参照しながら詳細に説明する。なお、図中同一または相当部分には同一符号を付す。
【００１５】
（実施の形態１）
図１は、本発明の実施の形態に係る直管形の蛍光ランプ用の照明器具の概略側面図である。図２は、本発明の実施の形態に係る照明器具に、蛍光ランプを取り付けているときの様子を示す。
【００１６】
照明器具１００は、照明器具本体１、蛍光ランプ２、可動ソケット３、ソケット補助具４および固定ソケット５を備える。照明器具本体１は、図示しない点灯回路やコネクタなどを備え、それらを収容する筐体によって構成されている。照明器具本体１の回路と可動ソケット３および固定ソケット５は電気的に接続し、点灯回路に給電し、蛍光ランプ２を点灯することができる。また、照明器具本体１は、天井などの取り付け面に直に固定されている。
【００１７】
照明器具本体１は、直管形の蛍光ランプ２の長手方向の、蛍光ランプ２を両端から挟持する位置に、アーム１１、アーム１２を備える。
【００１８】
直管形の蛍光ランプ２は、発光管２１、口金２２、ランプピン２３から構成される。
【００１９】
図３は、本発明の実施の形態１に係る照明器具のソケットおよびソケット補助具の概略図である。図３（ａ）は、図１の一点鎖線囲み部分Ｒの部分拡大図である。図３（ｂ）は、図３（ａ）を矢印の方向に見た図である。
【００２０】
可動ソケット３は、中心部に、蛍光ランプ２のランプピン２３の差し込み孔３１を２つ備える。可動ソケット３は、深型凹部３２が形成され、蛍光ランプ２を嵌合して支持することができる。蛍光ランプ２を嵌合して支持するとき、可動ソケット３の差し込み孔３１と、蛍光ランプ２のランプピン２３が接触し、照明器具本体１から蛍光ランプ２への電気的接続が可能となる。深型凹部３２は、蛍光ランプ２の口金２２を覆う深さであり、嵌合したときに、発光管２１に掛からない深さであることが好ましい。深型凹部３２に所定の深さで凹みを形成することで、可動ソケット３へ嵌合した蛍光ランプ２が外れにくくなる。
【００２１】
図４は、ソケット補助具の一例を示す側面図である。図４（ａ）は照明器具本体に蛍光ランプを取り付ける前、図４（ｂ）は可動ソケット側のみ蛍光ランプを取り付けた場合、図４（ｃ）は蛍光ランプを取り付けた場合を示す。
【００２２】
ソケット補助具４は、可動ソケット３とアーム１１の間にあって、照明器具本体１と蛍光ランプ２の電気的接続を維持することができる。絶縁性および耐熱性のある材料で形成されたソケット補助具４は、１つの筒が他の筒に挿通して摺動可能な入れ子構造から構成される形状をしており、伸縮性と屈曲性を備える。そして、蛍光ランプ２を照明器具本体１に取り付けたときに、可動ソケット３から固定ソケット５の方向へ、蛍光ランプ２に付勢力が働く。
【００２３】
詳しくは、照明器具本体１に蛍光ランプ２を取り付けた状態のソケット補助具４（図４（ｃ）参照）は、蛍光ランプ２を取り付ける前のソケット補助具４（図４（ａ）参照）と比べると収縮した状態となる。蛍光ランプ２に、可動ソケット３から固定ソケット５へ向けて、ソケット補助具４の収縮した分を元に戻そうとする力が働くことで、蛍光ランプ２と可動ソケット３の接続および蛍光ランプ２と固定ソケット５の接続がしっかり行われ、照明器具本体１と蛍光ランプ２の電気的接続を維持しやすくなる。
【００２４】
図４（ｂ）に示すように、蛍光ランプ２を可動ソケット３側に取り付けるとき、ソケット補助具４はアーム１１への取り付け位置を支点として屈曲することができる。蛍光ランプ２のランプピン２３を可動ソケット３の端部に引っ掛けるようにして、可動ソケット３の口金２２に対向する面（すなわち深型凹部３２の底面）を、固定ソケット５に対向する向きから、蛍光ランプ２を挟んで照明器具本体１の取り付け面に対向する側へと向きを変えることができる。ソケット補助具４により、可動ソケット３の対向する向きが変化し、蛍光ランプ２の片側を低い位置に構えた状態で、蛍光ランプ２を取り付けることが可能となる。
【００２５】
図５は、ソケット補助具の変形例を示す図で、基本的な構造は図４と同じである。ソケット補助具４は、図５に示す蛇腹構造から構成される形状であってもよい。
【００２６】
図６は、本発明の実施の形態１に係る照明器具のソケットの概略図である。ソケットに形成された誘導溝がＬ字の形状の場合を示す。図６（ａ）は、図１の一点鎖線囲み部分Ｒの部分拡大図である。図６（ｂ）は、図６（ａ）を矢印の方向に見た図である。
【００２７】
固定ソケット５は、可動ソケット３と同様に、中心部に、蛍光ランプ２のランプピン２３の差し込み孔５１を２つ備える。固定ソケット５は、差し込み孔５１へ向かって、ランプピン２３を嵌合しやすいように、ランプピン２３の通り道となる誘導溝５３が形成されている。誘導溝５３の開口部５３ａは、照明器具本体１の取り付け面と蛍光ランプ２を挟んで対向する側に形成される。誘導溝５３の終端部５３ｂは差し込み孔５１につながっており、ランプピン２３を開口部５３ａを介して誘導溝５３へ通すことで、ランプピン２３を差し込み孔５１へ容易に挿入することができ、照明器具本体１と蛍光ランプ２の電気的接続を維持することができる。ランプピン２３を差し込み孔５１へ挿入したときに、蛍光ランプ２は、可動ソケット３から蛍光ランプ２を外す向きに付勢され、蛍光ランプ２と固定ソケット５は密着するように嵌合する。このとき、浅型凹部５２は、蛍光ランプ２の位置固定を強固にし、また、蛍光ランプ２の口金２２の先端部を覆いランプピン２３にほこりなどが付着するのを防止することができる。浅型凹部５２は形成されなくても、照明器具１００の構成に問題は生じない。
【００２８】
誘導溝５３の幅は、開口部５３ａへ向けて幅が広くなる、裾広がりな形状で形成されることが好ましい。ランプピン２３を通す側の誘導溝５３の幅が大きいことで、ランプピン２３を誘導溝５３へ通しやすくなり、また、ランプピン２３を差し込む側の誘導溝５３の幅が小さいことで、ランプピン２３が抜け落ちにくくなるからである。例えば、ランプピン２３を通す側の誘導溝５３の幅はランプピン２３の直径の２倍などでランプピン２３を通したときに充分に間隙のある幅、ランプピン２３を差し込む側の誘導溝５３の幅はランプピン２３の直径とほぼ同じ大きさの幅とする。また、開口部５３ａ側が終端部５３ｂ側より幅広の形状であってもよい。さらに、誘導溝５３の幅が、開口部５３ａ側から終端部５３ｂへ向けて滑らかに幅が狭くなる形状で形成されることで、誘導溝５３に沿ってランプピン２３を移動させるだけで、容易にランプピン２３を差し込み孔５１へ挿入できる。
【００２９】
誘導溝５３の形状は、Ｌ字、コの字、Ｕ字、のいずれかの形状で形成されることが好ましい。終端部５３ｂは、開口部５３ａから誘導溝５３を介した延長線上にないことで、ランプピン２３が差し込み孔５１から外れにくくなるからである。
【００３０】
図６（ｂ）は、誘導溝５３の形状はＬ字形、幅は裾広がりの場合を示す。図７（ａ）は、誘導溝５３の形状はコの字形、幅は開口部側が幅広の場合を示す。図７（ｂ）は、誘導溝５３の形状はＵの字形、幅は裾広がりかつ開口部側が幅広の場合を示す。
【００３１】
以上説明したように、実施の形態１に係る照明器具によれば、一方のソケットにソケット補助具を備えて可動とすることで、脚立などに登ることなく可動側のソケットに蛍光ランプを嵌合させることができ、他方のソケットに蛍光ランプを嵌合する際の作業時間を短縮し、蛍光ランプの交換、特に取り付け作業を安全に行うことができる。脚立などの上でソケットに蛍光ランプを嵌合する際、蛍光ランプの一端が支持されているので、片手で取り付け作業を行うことができる。また、ソケットにランプピンを誘導する溝を形成することで容易かつ確実にソケットと蛍光ランプの電気的接続をすることができ、作業効率が上がり、作業時間を短縮することができる。従って、人および蛍光ランプの落下の危険性を低減させることができ安全性を高めつつ、蛍光灯の交換を容易かつ確実に短時間で行うことができる。
【００３２】
（実施の形態２）
図８は、本発明の実施の形態２に係る照明器具のソケットおよびソケット補助具の概略図である。図８（ａ）は、図１の一点鎖線囲み部分Ｒに対応する箇所の側面図である。図８（ｂ）は、図８（ａ）を矢印の方向に見た図である。図９は、本発明の実施の形態２に係る照明器具のソケットの概略図である。図９（ａ）は、図１の一点鎖線囲み部分Ｒに対応する箇所の側面図である。図９（ｂ）は、図９（ａ）を矢印の方向に見た図である。実施の形態２の照明器具の基本的な構造は、実施の形態１における照明器具１００と同様であり、照明器具本体１、蛍光ランプ２、可動ソケット６、ソケット補助具７および固定ソケット８を備える。実施の形態２では、照明器具１のアーム１１の代わりに、ソケット補助具７に取り付け腕７２を備える。また、ソケット補助具７は伸縮性を有しておらず、軸７３を中心に筒７１が回転し、可動する。さらに、可動ソケット６および固定ソケット８は、蛍光ランプ２を長手方向の中心周りに９０度回転させて、蛍光ランプ２のランプピン２３と挟み型端子６２および挟み型端子８２を接触させ、可動ソケット６および固定ソケット８と蛍光ランプ２の機械的固定と電気的接続を行う。
【００３３】
可動ソケット６は、取り付け部６１と、挟み型端子６２を備える。可動ソケット６に凹となるように形成された取り付け部６１は、ランプピン２３のガイドの役割を兼ねる。蛍光ランプ２を長手方向の中心周りに９０度回転させて装着したときに、挟み型端子６２とランプピン２３が接触し、可動ソケット６と蛍光ランプ２の機械的固定と電気的接続を行う。
【００３４】
ソケット補助具７は、筒７１と、取り付け腕７２と、軸７３を備える。取り付け腕７２は、例えばコの字型金具などで、照明器具本体１に取り付ける。筒７１は、取り付け腕７２に挟み込まれるように軸７３で支持される。筒７１の内部に可動ソケット６を備え、筒７１が軸７３を中心に回動することで、可動ソケット６を回動可能に支持することができる。筒７１から照明器具本体１へ導線（図示せず）で連結しており、可動ソケット６と照明器具本体１は、ソケット補助具７を介して電気的接続を維持することができる。
【００３５】
固定ソケット８は、取り付け部８１と、挟み型端子８２と、ガイド８３と、スリット８４を備える。ガイド８３は、取り付け部８１と挟み型端子８２の間に形成される。ランプピン２３をスリット８４の切れ目の方向と平行になるように蛍光ランプ２の向きを揃え、ランプピン２３をスリット８４からガイド８３へ通し、所定の位置まで挿入したところで、蛍光ランプ２を長手方向の中心周りに９０度回転させて装着する。このとき挟み型端子８２とランプピン２３が接触し、固定ソケット８と蛍光ランプ２の機械的固定と電気的接続を行う。
【００３６】
実際には、可動ソケット６に蛍光ランプ２を嵌めておき、固定ソケット８のスリット８４へ蛍光ランプ２のランプピン２３を通して所定の位置まで挿入した状態で、蛍光ランプ２を長手方向の中心周りに９０度回転させて装着する。
【００３７】
蛍光ランプ２を取り付ける際に、まず、蛍光ランプ２のランプピン２３を可動ソケット６の端部に引っ掛けるようにして、可動ソケット６の口金２２に対向する面（すなわち取り付け部６１）を、固定ソケット８に対向する向きから、蛍光ランプ２を挟んで照明器具本体１の取り付け面に対向する側へと、向きを変えることができる。ソケット補助具７の筒７１が軸７３を中心に回動可能であることにより、可動ソケット６の対向する向きが変化し、蛍光ランプ２の片側を低い位置に構えた状態で、蛍光ランプ２を取り付けることが可能となる。凹型で形成された取り付け部６１に蛍光ランプ２を嵌合して支持することができる。このとき照明器具本体１の取り付け面に対して蛍光ランプ２のランプピン２３が垂直方向に並ぶように、蛍光ランプ２を差し込んでおく。可動ソケット６と蛍光ランプ２を嵌合したら、蛍光ランプ２が照明器具本体１の取り付け面と平行となるように蛍光ランプ２をソケット補助具７を中心に回動させる。ランプピン２３が固定ソケットのスリット８４を通り、所定の位置まで挿入したところで、蛍光ランプ２を長手方向の中心周りに９０度回転する。挟み型端子６２、８２と蛍光ランプ２のランプピン２３が接触し、固定ソケット８と蛍光ランプ２の機械的固定と電気的接続を行う。
【００３８】
以上説明したように、実施の形態２に係る照明器具によれば、一方のソケットにソケット補助具を備えて可動とすることで、脚立などに登ることなく、片側のソケットに蛍光ランプを嵌合させることができ、他方のソケットに蛍光ランプを嵌合する際の作業時間を短縮し、蛍光ランプの交換、特に取り付け作業を安全に行うことができる。脚立などの上でソケットに蛍光ランプを嵌合する際、蛍光ランプの一端が支持されているので、片手で取り付け作業を行うことができる。従って、人および蛍光ランプの落下の危険性を低減させることができ安全性を高めつつ、蛍光灯の交換を容易かつ確実に短時間で行うことができる。
【００３９】
実施の形態１では、可動ソケット３および固定ソケット５と、蛍光ランプ２の接続方法は、ランプピン２３を差し込み孔３１、５１に挿入する方式であったが、実施の形態２で説明した可動ソケット６および固定ソケット８を用いて、蛍光ランプ２を回転させて機械的固定および電気的接触を行う方式でもよい。
【００４０】
また、実施の形態２では、可動ソケット６および固定ソケット８と、蛍光ランプ２の接続方法は、蛍光ランプ２を回転させて機械的固定および電気的接触を行う方式であったが、実施の形態１で説明した可動ソケット３および固定ソケット５を用いて、ランプピン２３を差し込み孔３１、５１に挿入する方式でもよい。ただし、ソケット補助具７は伸縮性を有していないため、可動ソケット３そのものに、固定ソケット５側から可動ソケット３側へ荷重を掛けることで口金２２の取り付け面が動くプランジャ構造で構成しておき、固定ソケット５側に蛍光ランプ２を取り付ける際には、荷重を掛けながらランプピン２３を挿入することが好ましい。可動ソケット３をプランジャ構造で構成することで、可動ソケット３と蛍光ランプ２、および固定ソケット５と蛍光ランプ２の電気的接続を強固にすることができる。
【００４１】
図１０は、本発明の実施の形態の具体例を示す構成概略図である。図１０（ａ）は、オフィスを想定し、天井高が２６０ｃｍで業務用直管蛍光灯（規格管長１１９８ｍｍ）を用いた場合、図１０（ｂ）は、住居を想定し、天井高が２４０ｃｍで一般家庭用直管蛍光灯（規格管長５８０ｍｍ）を用いた場合の例を示す。蛍光灯の取り付けを行う人は、一般男性の場合を想定し、日本人一般男性の平均身長である１７０ｃｍを想定した。手を伸ばした時に届く高さは約２１０ｃｍ程度であり、蛍光灯を握った場合の手の高さを２００ｃｍ程度とする。天井高は、建築基準法で定められた高さ２１０ｃｍ以上を満たし、オフィスビルに多い高さ２６０ｃｍ、住宅に多い高さ２４０ｃｍを想定した。
【００４２】
蛍光ランプの取り付け作業において、蛍光ランプを握る場所が端に近くなるにつれて、蛍光ランプを所持したときに支えにくくなるために落下しやすくなり、また、ソケットに蛍光ランプを嵌めにくくなるなどの不具合が生じる。特に蛍光ランプ管長が長いほど、その影響は大きい。
【００４３】
本発明に係るソケット補助具を使用した照明器具を用いると、ソケット補助具により、ソケットの取り付け面を４５度下方へ傾けることができるものとする。蛍光ランプ交換時の蛍光ランプを取り付ける時において、水平の方向からではなく、取り付け面が４５度下方へ傾いた状態で斜めの方向から、蛍光ランプをソケットに嵌合することが可能となると、脚立などを利用することなく一方のソケットを嵌め込むことができる。
【００４４】
例えば、図１０（ａ）では、蛍光ランプの管長が１１９８ｍｍと長く扱いにくいが、端の方は手を伸ばすことなく届く高さである。取り付け作業を想定した場合において、蛍光ランプを端から約３分の１の位置で握った状態で作業することができ、蛍光ランプの落下のおそれは少なく、ソケットへの取り付け作業への支障も少ない。図１０（ｂ）では、蛍光ランプの管長が５８０ｍｍと短く、端に近い方で所持しても問題は生じにくい。どちらの場合も、自身の背の高さより高い位置で蛍光ランプを所持しながら作業を行う必要はあるが、蛍光ランプの落下を防止し、作業効率を低下させることなく、取り付け作業を行うことができる。また、地に足を着けて安定した姿勢状態で作業を行えるので、足場を踏み外す危険性は生じない。
【００４５】
他方のソケットを嵌め込む際に脚立などを使用する必要はあるが、作業する際に、嵌め込みが必要なソケットの下に脚立を用意できるので、蛍光ランプのソケットへの嵌め込みが手元に近い位置で行え、作業効率が上がる。また、蛍光ランプの一方はソケットに支持されているので、蛍光ランプの中央付近ではなく端の方（他方側）で所持してもバランスを崩さずに所持でき、片手での作業も可能となるので、空いた方の手で脚立を捕まえることができ、蛍光ランプおよび自身が落下するのを防止し、安全に作業することができる。
【００４６】
さらに、ソケットに備えられた誘導溝により、蛍光ランプのランプピンをソケットに短時間で挿入でき、電気的接続も確実に行うことが可能となる。蛍光ランプの交換に掛かる時間が短縮できるだけでなく、不安定な足場での作業時間も短縮できるので、人が落下する危険性を低減することができる。
【００４７】
以上説明したように、実施の形態に係る照明器具によれば、一方のソケットにソケット補助具を備えて可動とすることで、脚立などに登ることなく、片側のソケットに蛍光ランプを嵌合させることができ、他方のソケットに蛍光ランプを嵌合する際の作業時間を短縮し、蛍光ランプの交換、特に取り付け作業を安全に行うことができる。脚立などの上でソケットに蛍光ランプを嵌合する際、蛍光ランプの一端が支持されているので、片手で取り付け作業を行うことができる。また、ソケットにランプピンを誘導する溝を形成することで容易かつ確実にソケットと蛍光ランプの電気的接続をすることができ、作業効率が上がり、作業時間を短縮することができる。従って、人および蛍光ランプの落下の危険性を低減させることができ安全性を高めつつ、蛍光灯の交換を容易かつ確実に短時間で行うことができる。
【００４８】
天井高や蛍光ランプ管長、蛍光ランプの取り替えを行う作業者の身長によるが、上述した本発明は、想定される多くの場面において有効である。壁面の高い位置に取り付けられる照明器具についても、本発明を応用することで、片側の蛍光ランプの取付け作業を低い位置からできるようになり、蛍光灯の交換を安全かつ容易に行うことが可能となる。照明器具を壁面の高い位置に取り付ける場合には、可動ソケットの回動方向を取付面にほぼ平行になるようにソケット補助具を取り付けて、作業者が床から可動ソケットに蛍光灯の端部を挿入できるように構成する。
【００４９】
その他、前記の照明器具の形状や種類、ソケットの形状、蛍光ランプの取り付け方法は一例であり、任意に設定可能である。また、本実施の形態の例で示した、ソケット補助具の材質や形状、例えば折り曲げ角度などは一例であり、任意に変更および修正が可能である。
【００５０】
その他、本発明の好適な変形として、以下の構成が含まれる。
【００５１】
本発明に係る照明器具について、
好ましくは、前記固定ソケットは、前記蛍光ランプのランプピンを該固定ソケットに形成されたランプピン用差し込み孔に誘導するためのＬ字、コの字、Ｕ字、のいずれかの形状の溝を備え、
該溝の開口部は前記照明器具の取り付け面と前記蛍光ランプを挟んで対向する側に形成され、
該溝の終端部は該ランプピン用差し込み孔の位置に形成されることを特徴とする。
【００５２】
好ましくは、前記溝の開口部の幅は、該溝の溝幅よりも大きいことを特徴とする。
【００５３】
好ましくは、前記ソケット補助具は、絶縁性および耐熱性を有する材料で形成され、かつ、伸縮性と屈曲性を備えることを特徴とする。
【００５４】
好ましくは、前記ソケット補助具は、１つの筒が他の筒に挿通して摺動可能な入れ子構造から構成されることを特徴とする。
【００５５】
好ましくは、前記ソケット補助具は、蛇腹構造から構成されることを特徴とする。
【符号の説明】
【００５６】
１    照明器具本体
２    蛍光ランプ
３、６    可動ソケット
４、７    ソケット補助具
５、８    固定ソケット
１１、１２    アーム
２１    発光管
２２    口金
２３    ランプピン
３１、５１    差し込み孔
３２    深型凹部
５２    浅型凹部
５３    誘導溝
５３ａ  開口部
５３ｂ  終端部
６１、８１    取り付け部
６２、８２    挟み型端子
７１    筒
７２    取り付け腕
７３    軸
８３    ガイド
８４    スリット
１００    照明器具
【図１】
2011009141.tif 000003
【図２】
2011009141.tif 000004
【図３】
2011009141.tif 000005
【図４】
2011009141.tif 000006
【図５】
2011009141.tif 000007
【図６】
2011009141.tif 000008
【図７】
2011009141.tif 000009
【図８】
2011009141.tif 000010
【図９】
2011009141.tif 000011
【図１０】
2011009141.tif 000012